(57)【要約】【課題】嵩張ることなく、効率良く運搬、保管でき、しかも現場で簡単且つ迅速に施工でき、作業者の施工能力に左右されないよう形成した脚付き床部材を提供する。【解決手段】浴室に設置する床部材であり、下面１に脚２を設け、この脚２を起伏動作自在に形成する。この場合本発明は、脚２を倒伏時に受けて略水平状に配置させる脚受け部１０を備えて形成すると良い。又本発明は、下面１に排水用の設備部１１を下方に突き出させて設け、この排水用の設備部１１より脚２を倒伏時に下方に突き出させて形成するのが好ましい。【選択図】　　　図１
2004092070.tif 000002
【特許請求の範囲】
【請求項１】
浴室に設置される床部材であって、下面に脚が設けられ、この脚が起伏動作自在に形成されていることを特徴とする脚付き床部材。
【請求項２】
請求項１記載の脚付き床部材であって、脚を倒伏時に受けて略水平状に配置させる脚受け部を備えて形成されていることを特徴とする脚付き床部材。
【請求項３】
請求項２記載の脚付き床部材であって、下面に排水用の設備部が下方に突き出されて設けられ、この排水用の設備部より脚が倒伏時に下方に突き出されて形成されていることを特徴とする脚付き床部材。
【請求項４】
請求項３記載の脚付き床部材であって、脚を取り付けるためのベース部材が下面に設けられ、このベース部材の脚取付箇所が縦向きの対向片で形成され、この対向片の間に脚が横軸を中心に回動自在に取り付けられ、この横軸と摺接して脚を起伏動作時に上下方向に移動させるための長孔が脚にその長手方向に沿って形成されていることを特徴とする脚付き床部材。
【請求項５】
請求項１記載の脚付き床部材であって、脚を取り付けるためのベース部材が下面に設けられ、又下面に排水用の設備部が下方に突き出されて設けられ、上記のベース部材に倒伏状態の脚に代わって接地する支持部が上記の排水用の設備部より下方に突き出されて形成されていることを特徴とする脚付き床部材。
【請求項６】
請求項５記載の脚付き床部材であって、ベース部材が倒伏時の脚を収納させる溝状部を備え、支持部が起立片で形成され、この起立片の間に脚が横軸を中心に回動自在に取り付けられていることを特徴とする脚付き床部材。
【請求項７】
請求項６記載の脚付き床部材であって、起立片に、脚の高さを調節するための調節部が形成され、この調節部が、横軸を縦方向に案内する縦向きのスリットと、このスリットに高さを違えて形成されている複数の横軸係止用の切り欠きとでなることを特徴とする脚付き床部材。
【請求項８】
請求項１乃至７の何れかに記載の脚付き床部材であって、脚が倒伏時にマグネットで吸着自在に形成されていることを特徴とする脚付き床部材。
【発明の詳細な説明】
【０００１】
【発明の属する技術分野】
本発明は、浴室の床面を形成する床部材に関し、更に詳しくは洗い場パンや、浴槽載置用の浴槽パン、或いはこれらの防水パンを支持する架台等の床部材に関するものである。
【０００２】
【従来の技術】
従来この種の床部材としては、例えば支持部材の両端側に、上下に移動可能に支持脚が取り付けられ、支持部材が防水床部に対して支持部材の長手方向にスライド自在に形成されているものがある（例えば特開平９−１４４０９３号公報参照）。
【０００３】
【発明が解決しようとする課題】
ところで戸建て住宅は、湿気対策等から一般に床下が高く設定されるから、この種の住宅の場合、浴室の床部材の脚は、例えば３００ｍｍ〜５００ｍｍ程度に長く形成されるのが通例である。従ってこのように長い脚が床部材に当初から設けられていると、脚が突き出されている分、運搬時、保管時にスペースが広く必要になり、一度に運搬、保管できる量が少なくなる。それ故この種の床部材は、嵩張らないよう運搬や保管を効率良く行え、しかも現場で簡便、迅速に施工できるよう形成されているのが望ましい。
【０００４】
しかるに従来品は、上記の通り、支持部材に支持脚が起立状に取り付けられていたから、従来品によると上下方向の寸法が大きくなるのを避けられず、従って一度に大量の床部材を運搬、保管することができない、という問題点があった。その結果従来この種の床部材は、防水パンと脚とが別個に形成され、脚は現場で防水パンに取り付けて施工しているのが実情である。
而してこの種の床部材を施工する作業者の技術レベルは、必ずしも一様ではない。従って従来品の場合は、施工に手間暇がかかっただけではなく、脚の取り付け強度や取り付け状態等にばらつきが生じるのを避けられなかった。
【０００５】
本発明は、このような従来の実情に鑑み、提案されたものである。
従って本発明の技術的課題は、嵩張ることなく、効率良く運搬、保管でき、しかも現場で簡単且つ迅速に施工でき、作業者の施工能力に左右されないよう形成した脚付き床部材を提供することにある。
【０００６】
【課題を解決するための手段】
本発明は、上記の課題を解決するために、次のような技術的手段を採る。
【０００７】
即ち本発明は、図１等に示されるように、浴室に設置される床部材であって、下面１に脚２が設けられ、この脚２が起伏動作自在に形成されていることを特徴とする（請求項１）。
【０００８】
本発明の床部材としては、例えば洗い場形成用の洗い場パン、浴槽載置用の浴槽パン、又洗い場パン等の防水パンを支持する架台等がある。脚２は、通常、下面１の四隅に配置されるが、配置箇所や本数は任意である。又脚２は、下面１の範囲内に納まるよう、通常、内側に倒伏されるが、本発明はこれに限定されるものではない。
【０００９】
又本発明は、脚２を倒伏時に受けて略水平状に配置させる脚受け部１０を備えて形成されているのが好ましい（請求項２）。
【００１０】
なぜならこれによると、運搬時や保管時に、倒伏状態の脚２を利用して本発明品を略水平に積み重ねることができ、安定した状態で運搬や保管が可能になるからである。脚受け部１０は、下面１が下方に凸段差状に突き出されて形成されるのでも、或いは別部材が下面１に固定されることで形成されるのでも良い。
【００１１】
又この場合本発明は、下面１に排水用の設備部１１が下方に突き出されて設けられ、この排水用の設備部１１より脚２が倒伏時に下方に突き出されて形成されているのが好ましい（請求項３）。
【００１２】
なぜならこれによると、倒伏時に略水平状に配置される脚２で、排水用の設備部１１を傷めることなく、効率良く積み重ねて運搬や保管ができるからである。ここで、排水用の設備部１１としては、例えば排水トラップや排水溝等がある。
【００１３】
又この場合本発明は、脚２を取り付けるためのベース部材３が下面１に設けられ、このベース部材３の脚取付箇所４が縦向きの対向片４ａで形成され、この対向片４ａの間に脚２が横軸５を中心に回動自在に取り付けられ、この横軸５と摺接して脚２を起伏動作時に上下方向に移動させるための長孔７が脚２にその長手方向に沿って形成されているのが好ましい（請求項４）。
【００１４】
なぜならこれによると、施工時に長孔７を利用して脚２を適宜の高さに配置でき、又脚２の上端を対向片４ａの間の天面に突き当てて荷重を受け止めることができ、耐荷重性が良くなるからである。
【００１５】
又本発明は、脚２を取り付けるためのベース部材３が下面１に設けられ、又下面１に排水用の設備部１１が下方に突き出されて設けられ、上記のベース部材３に倒伏状態の脚２に代わって接地する支持部１６が上記の排水用の設備部１１より下方に突き出されて形成されているのが好ましい（請求項５）。
【００１６】
なぜならこれによると、運搬や保管の際に脚２を倒伏させても、排水用の設備部１１を傷めることなく、支持部１６で支持できるからである。
【００１７】
この場合本発明は、ベース部材３が倒伏時の脚２を収納させる溝状部３ａを備え、支持部１６が起立片１６ａで形成され、この起立片１６ａの間に脚２が横軸５を中心に回動自在に取り付けられているのが好ましい（請求項６）。
【００１８】
なぜならこれによると、脚２を倒伏時にベース部材３の間に収納させて体裁良く配置でき、又運搬時や保管時の衝撃をベース部材３で受け止め、脚２を保護できるからである。
【００１９】
又この場合本発明は、起立片１６ａに、脚２の高さを調節するための調節部２１が形成され、この調節部２１が、横軸５を縦方向に案内する縦向きのスリット２１ａと、このスリット２１ａに高さを違えて形成されている複数の横軸係止用の切り欠き２１ｂとでなるのが好ましい（請求項７）。
【００２０】
なぜならこれによると、ブロック材等の高さ調節部材を必要とすることなく、現場の状況に合わせて高さを簡単に変更でき、施工を容易化できるからである。
【００２１】
更に本発明は、脚２が倒伏時にマグネット１５で吸着自在に形成されているのでも良い（請求項８）。
【００２２】
なぜならこの場合は、運搬や保管の際に脚２をマグネット１５で仮止めでき、施工時は簡単に起立させることができるからである。
【００２３】
【発明の実施の形態】
以下、本発明の好適な一実施形態を添付図面に従って説明する。
【００２４】
本発明は、浴室に設置される床部材であり、この実施形態では洗い場パンに実現したものである。図１等において、１は洗い場パン等の下面であり、２はこの下面１に起伏動作自在に設けられている脚である。
【００２５】
又３は、脚２が取り付けられるベース部材である。このベース部材３は、この実施形態では長尺状に形成され、図３に示されるように、本発明の床部材の一辺に沿って平面視でコの字状に、下面１に設けられている。脚２は、この実施形態の場合、ベース部材３を介して起伏動作自在に形成されているものである。
【００２６】
４は、ベース部材３の脚取付箇所である。この脚取付箇所４は、縦向きの対向片４ａで形成され、この実施形態では図３に示されるように、下面１の四隅に配置されている。脚２は、対向片４ａの間に、横軸５を中心に回動自在に取り付けられ、ベース部材３に沿って起伏動作自在に設けられている。なおこの実施形態では、脚２の先に、高さ調節用のアジャスターボルト６が設けられている。
【００２７】
７は、横軸５と摺接して脚２を起伏動作時に上下方向に移動させるための長孔である。この長孔７は、脚２に、その長手方向に沿って形成されている。又８、９は、起立時に脚２を固定するためのボルト挿通孔である。ボルト挿通孔８は対向片４ａの上部に形成され、ボルト挿通孔９は脚２の上部に形成されている。
【００２８】
１０は、脚２を倒伏時に受けて略水平状に配置させる脚受け部である。この脚受け部１０は、この実施形態ではベース部材３に一体状に形成されている。
【００２９】
１１は、排水用の設備部としての排水トラップである。この排水用の設備部１１は、下面１に下方に突き出されて設けられ、上記の脚２はこの排水用の設備部１１より倒伏時に下方に突き出されて形成されている。
【００３０】
次に本発明の作用を説明する。
この実施形態の本発明は、脚２が排水用の設備部１１より下方に突き出されているから、図１に示されるように、脚２を倒伏させると、脚２の側面が接地し、排水用の設備部１１が支障になることはない。作業者は、この状態で本発明品を積み重ねて運搬や保管する。
【００３１】
そして浴室の床を施工する場合は、先ず作業者は横軸５を締め付けているナット（図示せず）を緩め、次に脚２を、横軸５を中心に引き降ろして起立させる。そしてボルト１２（図２等参照）を、ボルト挿通孔８、９に通してナット（図示せず）で締め付け、脚２をベース部材３に固定する。この作業を四隅の脚２の全てについて行い、洗い場を施工する。なおこの場合作業者は、起立状の脚２を堅固に固定できるよう、例えばＬ字形金具１３（図２等参照）で脚２の上部の両側を下面１に固定すると良い。
【００３２】
以上の処において、本発明は、図５に示されるように、ベース部材３を省略して下面１に直に例えば蝶番１４を用いて設けられるのでも良く、又脚２は図６に示されるように、倒伏時にマグネット１５で吸着自在に形成されているのでも良い。マグネット１５は、例えば脚２の下端部に取り付けられ、このマグネット１５に対応する例えば下面１の位置に、防錆加工された鉄片等の磁性体（図示せず）が固定されるものである。
【００３３】
又上例では、倒伏時に脚２が接地するよう形成されているが、本発明はこれに限定されるものではなく、例えば図７等に示されるように形成されるのでも良い。
即ちこの実施形態の本発明は、上記のベース部材３に、倒伏状態の脚２に代わって接地する支持部１６が排水用の設備部１１より、長さＤ（図８、図９参照）だけ下方に突き出されて形成されているものである。
【００３４】
ベース部材３は、この実施形態では倒伏時の脚２を収納させる溝状部３ａを備えて形成されている。支持部１６は、起立片１６ａで形成され、この起立片１６ａの間に脚２が横軸５を中心に回動自在に取り付けられている。支持部１６の先端部には、脚２を起立させたときボルト１２（図８、図９参照）を通して脚２を固定するためのボルト孔１７が形成されている。なおこの実施形態の場合、脚２は溝状部３ａに納められ、倒伏時は粘着テープ１８で仮止めされている。
【００３５】
この実施形態に係る本発明品の場合、運搬や保管時は支持部１６が接地し、粘着テープ１８で仮止めされた状態で運搬や保管される。この場合、支持部１６は、排水用の設備部１１より下方に突き出されているため、設備部１１が支障となることはない。又施工時は、粘着テープ１８を剥がすと共に、ナット１９（図９、図１０参照）を緩めて脚２を引き起こし、ボルト孔１７にボルト１２を通してナット１９、２０（図９参照）で締め付けて固定する。
【００３６】
又本発明は、図１０、図１１に示されるように、上記の起立片１６ａに、脚２の高さを調節するための調節部２１が形成されているのでも良い。この調節部２１は、この実施形態では、横軸５を縦方向に案内する縦向きのスリット２１ａと、このスリット２１ａに高さを違えて形成されている複数の横軸係止用の切り欠き２１ｂとで構成されている。この本発明の場合は、施工時にナット１９を緩めて脚２を引き起こし、脚２の高さを調節した後、横長状のボルト孔１７にボルト１２を通し、ナット（図示せず）で締め付けて脚２を固定する。図１１Ａに示されるように、脚２は、調節部２１の切り欠き２１ｂの位置が下になるほど高くなり、同図Ｂに示されるように、上になると低くなる。
【００３７】
【発明の効果】
以上説明したように本発明は、下面に脚を設け、この脚を起伏動作自在に形成しているものであるから、これによると嵩張ることなく効率良く運搬、保管でき、しかも現場で簡単且つ迅速に施工でき、又作業者の施工能力に左右されることなく確実に施工できる。
【図面の簡単な説明】
【図１】本発明の床部材の好適な一実施形態を示す脚倒伏時の正面図である。
【図２】同上床部材の脚起立時の正面図である。
【図３】同上床部材の要部平面図である。
【図４】同上床部材の短手方向の側から見た脚起立時の側面図である。
【図５】同上床部材の他の実施形態を示す要部正面図である。
【図６】同上床部材の他の実施形態を示す要部斜視図である。
【図７】同上床部材の他の実施形態を示す斜視図である。
【図８】図７の実施形態の要部斜視図である。
【図９】図７の実施形態の要部正面図である。
【図１０】同上床部材の更に他の実施形態を示す要部斜視図である。
【図１１】Ａ、Ｂとも、図１０の実施形態の作用を説明するための要部斜視図である。
【符号の説明】
１　　下面
２　　脚
３　　ベース部材
４　　脚取付箇所
４ａ　対向片
５　　横軸
７　　長孔
１０　脚受け部
１１　排水用の設備部
【図１】
2004092070.tif 000003
【図２】
2004092070.tif 000004
【図３】
2004092070.tif 000005
【図４】
2004092070.tif 000006
【図５】
2004092070.tif 000007
【図６】
2004092070.tif 000008
【図７】
2004092070.tif 000009
【図８】
2004092070.tif 000010
【図９】
2004092070.tif 000011
【図１０】
2004092070.tif 000012
【図１１】
2004092070.tif 000013